(57)【要約】  【課題】  パス等によって筆記ボードに描かれた線図を綺麗に拭き消すことができるイレーザーの開発を課題とするものである。  【解決手段】  イレーザー１は、パルプを素材とした不織布で作られている。イレーザー１は、特に筆記ボードにパス１５で描かれた線図を拭き消すのに適するものであり、収納ケース２に折り畳まれて多数収納されている。使用者が収納ケース２から突出したイレーザー１ａをつまんで取り出すと、次のイレーザー１ｂの一部が収納ケース２から突出する。線図を消したいときには、イレーザー１で筆記ボード１０の表面を拭く。【選択図】  図１
2006347131.tif 000002
【特許請求の範囲】
【請求項１】
パルプを素材とする不織布によって構成されたことを特徴とする筆記ボード用イレーザー。
【請求項２】
乾燥状態における厚さが０．５ｍｍ〜１．０ｍｍであり、重さは、１平方メートル当たり、３０ｇから６０ｇ程度であることを特徴とする請求項１に記載の筆記ボード用イレーザー。
【請求項３】
開口を有する収納ケースを備え、前記収納ケースの中に請求項１又は２に記載の筆記ボード用イレーザーが複数折り畳まれて収納されており、一枚を取り出すと次の一枚がつられて引き出され、その一部が収納ケースの開口から突出することを特徴とする筆記ボード用イレーザー。
【請求項４】
表面に塗膜層を有する筆記ボードに対してパスで描かれた線図を請求項１乃至３のいずれかに記載の筆記ボード用イレーザーで拭き取ることを特徴とする線図消去方法。
【発明の詳細な説明】
【技術分野】
【０００１】
本発明は、黒板やホワイトボード等の筆記ボードに描かれた線図を消すための道具に関するものである。また本発明は、パスで描かれた線図を消去する方法に関するものである。
【背景技術】
【０００２】
黒板やホワイトボードは、文字や図画を描いたり消したりを繰り返すことができ、意思伝達手段として広く利用されている。
黒板やホワイトボードは、公知の様に白墨やマーカによって線図が描かれる。線図を消去する際にはイレーザーによって黒板等の表面を拭く。イレーザーは、「黒板ふき」や「白板ふき」とも称されるものであり、例えば特許文献１等に開示されている。
【特許文献１】実開平１−１７５８９５号公報
【特許文献２】実開昭５６−８６１９３号公報
【０００３】
特許文献１，２に開示されたイレーザーは、いずれも台座状の部材に拭き布を取り付けたものである。特許文献１，２では、黒板等に触れて線図を消す拭き布は、合成繊維を素材とする不織布が採用されている。
【発明の開示】
【発明が解決しようとする課題】
【０００４】
ところで従来から知られている黒板や白板は、白墨やマーカによって線図を描くものであるから、描き得る色彩の種類が少ない。また白墨やマーカでは、濃淡表現やぼかし表現が出来ず、画材としての面白みに欠ける。そこでパス等で線図を描くことができる様な筆記ボードが求められており、本出願人もかねてからこの種の筆記ボードの研究開発を行って来た。
そしてこの研究の過程において、筆記ボードに描かれた線図を消すためのイレーザーを開発する必要に迫られた。
本発明は、上記した事情によって開発が進められたものであり、パス等によって筆記ボードに描かれた線図を綺麗に拭き消すことができるイレーザーの開発を課題とするものである。
【課題を解決するための手段】
【０００５】
そして上記した課題を解決するため、本発明者らは各種の素材を使用したイレーザーを試作し、比較検討を重ねた。その結果、パルプを素材とする不織布で筆記ボードを拭くと、線図が綺麗に消えることが判明した。
【０００６】
上記した知見に基づいて完成された請求項１に記載の発明は、パルプを素材とする不織布によって構成されたことを特徴とする筆記ボード用イレーザーである。
【０００７】
また筆記ボード用イレーザーの乾燥状態における厚さは、０．５ｍｍ〜１．０ｍｍであり、重さは、１平方メートル当たり、３０ｇから６０ｇ程度であることが望ましい（請求項２）。
【０００８】
厚さ及び単位面積当たりの重さが上記の範囲未満である場合は、弾力性やクッション性が劣り、ボードに描かれた線図を十分に拭き取ることができない。また厚さ及び単位面積当たりの重さが上記の範囲未満である場合は、ボードを拭いた時に手にパス等が付く場合があり、使い勝手が悪い。
逆に厚さ及び単位面積当たりの重さが上記の範囲を越える場合は、ごわごわして使いにくい。
【０００９】
また筆記ボード用イレーザーは、使い捨に使用することが望ましい。そのため収納ケースに多数収納しておき、これをポップアップ式に取り出せることが望ましい。
この観点から開発された請求項３に記載の発明は、開口を有する収納ケースを備え、前記収納ケースの中に請求項１又は２に記載の筆記ボード用イレーザーが複数折り畳まれて収納されており、一枚を取り出すと次の一枚がつられて引き出され、その一部が収納ケースの開口から突出することを特徴とする筆記ボード用イレーザーである。
【００１０】
また線図の消去方法に関する発明は、表面に塗膜層を有する筆記ボードに対してパスで描かれた線図を請求項１乃至３のいずれかに記載の筆記ボード用イレーザーで拭き取ることを特徴とする。
ここで線図とは、文字、図形の他、着色も含む。
【発明の効果】
【００１１】
本発明のイレーザーを使用すると、筆記ボードに描かれた線図を綺麗に消し去ることができる。また本発明の線図の消去方法によると、筆記ボードにパス等で描かれた線図を綺麗に消し去ることができる。
【発明を実施するための最良の形態】
【００１２】
以下さらに本発明の実施形態について説明する。
図１は、本発明の実施形態のイレーザーを多数収納した収容ケースの斜視図である。図２は、図１の収納ケース内に収納されたイレーザーの畳まれ方を示すイレーザーの斜視図である。図３は、筆記ボードの斜視図である。図４は、図３の筆記ボードの表面近傍の拡大断面図である。
【００１３】
本実施形態のイレーザー１は、特に筆記ボードにパスで描かれた線図を拭き消すのに適するものであり、図１の様な収納ケース２に折り畳まれて多数収納されている。収納ケース２は、ポリエチレン樹脂又はポリプロピレン樹脂によって作られた略直方体の袋であり、上面に切れ目（開口）３が設けられている。
本実施形態のイレーザー１は、この収納ケース２の中に折り畳まれて収納されており、一枚を取り出すと次の一枚がつられて引き出され、その一部が収納ケース２の切れ目３から突出する。即ち図２に示す様に、イレーザー１ａを折り畳む際に、下位にあるイレーザー１ｂの一部が中に挟み込まれている。そのため上部のイレーザー１ａが収納ケース２から引き出されると、次のイレーザー１ｂの一部が連れて移動し、収納ケース２の切れ目３から突出する。そのため使用者が、収納ケース２から突出したイレーザー１ａをつまんで取り出すと、次のイレーザー１ｂの一部が収納ケース２から突出する。従って使用者はイレーザー１を収納ケース２から容易に取り出すことができる。
【００１４】
イレーザー１は、パルプを素材とした不織布で作られている。イレーザー１は長方形又は正方形である。イレーザー１の大きさは、１５０ｍｍ四方から３００ｍｍ四方程度の大きさである。イレーザー１の厚さは、乾燥状態で０．５ｍｍ〜１．０ｍｍ程度である。
また乾燥状態におけるイレーザーの重さは、１平方メートル当たり、３０ｇから６０ｇ程度であり、より望ましくは４０ｇから５０ｇである。
イレーザーの引張り強度には方向性があり、一方の方向に引っ張った際の引張り強度（乾燥状態）は４５０ｇ／２５ｍｍ程度であり、これに対して垂直方向に引っ張った場合の引張り強度（乾燥状態）は４５０ｇ／２５ｍｍ程度である。
【００１５】
またウエット状態におけるイレーザー１の厚さは、０．４ｍｍ〜０．６ｍｍ程度である。
またウエット状態におけるイレーザー１の引張り強度は、中央部分においては２４８ｇ／２５ｍｍ程度であり、辺部においては１８５ｇ／２５ｍｍ程度である。
【００１６】
イレーザー１は、キッチンペーパーとして市販されているものと同様の物理的、化学的性質を持つものであり、厚さや単位面積当たりの重さもキッチンペーパーと等しい。
【００１７】
本実施形態のイレーザー１は、黒板やホワイトボート等に描かれた線図を拭き消す用途に支障なく使用することができるが、特に表面に粘着物を剥離する機能を持った表面塗膜層１１を備えた筆記ボード１０（図３，４）との相性が良く、この筆記ボード１０に描かれた線図を拭き消す用途に使用することが推奨される。
また白墨やマーカによって描かれた線図を拭き消すことも勿論できるが、本実施形態のイレーザー１は、パス１５で描かれた線図を消すのに適している。
以下、筆記ボード１０及びパスについて説明する。
【００１８】
筆記ボード１０は、樹脂や木、金属等で作られた本体層２０に下塗り層２１が設けられ、さらにその上に表面塗膜層１１が設けられたものである。
表面塗膜層１１は、表面に付着物が付きにくく、また表面に付いてしまった付着物を剥がれやすくする性質を備えた組成物によって構成される層であり、水滴滑り性、撥水性、防汚性を備えている。
具体的には、特開平９−１００４４５号公報、特開２０００−１６０１３２号公報、特開２０００−１１９３５４号公報、特開２０００−２９２８７０号公報等に記載された組成物によって構成される層である。
また更に具体的には、表面塗膜層１１は、落書き防止用塗料と称される塗料を塗布して作られたものである。
落書き防止用塗料と称される塗料には、エスケー化研株式会社製の特殊シリコーン樹脂系塗料、「ＳＫハードクリーン（登録商標）」や、川上塗料株式会社製の２液型アクリルシリコーン樹脂系塗料「ケシゾー（商品名）」がある。また大日本塗料株式会社から「マジックアート（登録商標）」の名称で市販された特殊シリコーン変性フッソ樹脂クリヤー塗料も採用可能である。同様に、恒和化学工業株式会社製の特殊シリコーン・フッ素樹脂系塗料たる「ダイヤリファイン」や、大橋化学工業株式会社製の離型製シリコーン複合塗料たる「エバハード（登録商標）Ｎｏ１００（Ｓ）」も表面塗膜層１１を形成させるのに採用可能である。
【００１９】
パス１５は、株式会社サクラクレパス製の「クレパス（登録商標）」に代表される画材であり、一般的に着色剤と、体質顔料と、オイルとワックスを含有する。パスで使用される着色剤は、顔料である。体質顔料としては炭酸カルシウムが使用される。オイルとしてはホワイトミネラルオイル又は２０号オイルが使用される。ワックスとしては、パラフィンワックスやカルナバ蝋が使用される。
【００２０】
次に本実施形態のイレーザー１の使用方法について説明する。
例えば図３に示す筆記ボード１０に、パス１５によって任意の絵や文字を描く。筆記ボード１０は、表面に表面塗膜層１１を備え、表面は、水滴滑り性、撥水性、防汚性を備えているが、パス１５は付着性が良く、筆記ボード１０に任意の線図を描くことができる。
そして線図を消したいときには、本実施形態のイレーザー１で筆記ボード１０の表面を拭く。即ち収納ケース２の切れ目３から突出したイレーザー１ａをつまんで引き出し、イレーザー１ａを収納ケース２から取り出す。そして取り出したイレーザー１ａをそのままの状態で筆記ボード１０の表面に押し当て、線図を拭く。その結果、筆記ボード１０の表面に付着していたパス１５の皮膜が剥がれ、イレーザー１ａに拭き取られる。
即ち本実施形態のイレーザー１ａは、表面に程よい凹凸を有すると共に相当の剛性を持つので、筆記ボード１０の表面に付着していたパス１５の皮膜を容易に剥ぎ落とすことができる。
使用済みのイレーザー１は捨てる。即ち本実施形態では、イレーザー１は使い捨てである。
再度線図を消したい時は、新たなイレーザー１を収納ケース２から取り出す。
【００２１】
以上説明した実施形態では、収納ケースとして袋状のものを例示したが、より剛性を有する箱状のものであってもよい。また開口の例として切れ目３を開示したが、より大きな開口であってもよい。
【００２２】
本発明のイレーザーは、筆記ボードにパスで描いた線図を効率よく拭き取ることを目的として開発されたものであるが、本発明者らの実験によると、ホワイトボードにマーカで描かれた線図を拭き消すのにも好適に利用できる。
即ちホワイトボードにマーカで描いた線図は、公知のイレーザーで拭き消すが、残像的な線図が残る場合がある。これに対して本発明のイレーザー１を使用すると、従来のものに比べてより綺麗に線図を消去することができる。
【図面の簡単な説明】
【００２３】
【図１】本発明の実施形態のイレーザーを多数収納した収容ケースの斜視図である。
【図２】図１の収納ケース内に収納されたイレーザーの畳まれ方を示すイレーザーの斜視図である。
【図３】筆記ボードの斜視図である。
【図４】図３の筆記ボードの表面近傍の拡大断面図である。
【符号の説明】
【００２４】
１  イレーザー
２  収納ケース
３  切れ目
１０  筆記ボード
１１  表面塗膜層
１５  パス
２０  本体層
【図１】
2006347131.tif 000003
【図２】
2006347131.tif 000004
【図３】
2006347131.tif 000005
【図４】
2006347131.tif 000006